(57)【要約】      （修正有）【課題】一枚のシート状皮革から工具ホルダーを作って、そのホルダーから工具を抜け落せず、直ちに工具を使用できるようにした身辺に装着を可能にする工具ホルダーを提供する。【解決手段】吊着する吊下部と、工具を着脱して使用可能にしたホルダー本体とを一枚のシートで形成し、前記吊下部に金属吊り輪を保持して工具を抜け落ちないようにしてホルダー本体に保持するとともに、身辺から外れないように鋲止手段を設け、前記ホルダー本体には折り曲げ部から折り曲げて折り曲げ部とは反対側に縫製したことを特徴とする工具ホルダー。【選択図】図６
0003144113.tif 000002
【実用新案登録請求の範囲】
【請求項１】
工具を収納するホルダー本体と、該本体の上部に連設した細長い吊下部とを一枚のシートで構成し、前記ホルダー本体が折り曲げ部を境目とした略線対称の上記吊下部と連設した裏部と、折り曲げることによる表部とからなり、前記吊下部を折り重ねて身辺に装着する金属吊り輪を挿通状態に保持した鋲止手段を設け、前記吊下部の先部と前記ホルダー本体の表部のいずれかに凸部と凹部により着脱する係止手段を設け、前記折り曲げ部の反対側を縫製することにより、前記ホルダー本体の上部に工具全体を着脱する挿入孔を設けるとともに、下部には工具先端の先部を挿通して工具全体を保持する挿通孔を設けたことを特徴とする工具ホルダー。
【請求項２】
前記係止手段の凸部形状が先部の径を根元の径より大きいきのこ形であり、凹部形状が上記先部の径で押し開いて根元の径の場所で係止するバネ線を設けたものとしたことを特徴とする請求項１に記載の工具ホルダー。
【請求項３】
前記一枚のシートが皮革であり、前記金属吊り輪が一本のバネ状線を一回以上巻きつけて直接又は間接に身回品の一部に固着可能にしたものである請求項１に記載の工具ホルダー。
【考案の詳細な説明】
【技術分野】
【０００１】
本考案は、工具、特にサーフボードのフィンの取り付けや取り外しに使用するレンチ入れ等に用いる、身体に装着したベルト等に装着する工具ホルダーに関する。
【背景技術】
【０００２】
サーフボートのフィンは、運搬に不便であることや、衝撃を当てることによる損傷を防止するところから、使用時と不使用時にはレンチを用いることでボルトを取り外して、フィンをボード本体から外さなければならなかった。フィンの着脱方法としては、特許文献１や特許文献２が提案されているが、いずれもサーフボードにボックス溝を掘らなければならず、そこに凸部と凹部や、Ｌ字状の溝とピンといった特殊加工を施こさなければならないといった根本的問題点がある。
【０００３】
そこで、上記従来からのレンチでボード本体からフィンを取り外すことにより、フィンをボード本体から外す方法を用いることを考えてレンチを所持するものの、このレンチそのままでは紛失してしまって使用時と不使用時の着脱に役立たなく、やむなく近くの人に借りていたが、必ずしも近くにレンチを所持した人がいるとは限らず、不便であった。
【０００４】
一方、工具ホルダーとして、特許文献３があり、また特許文献４があるが、前者は工具ホルダーの先端の露出による周辺物品の損傷を防止するためにその先端に覆い部を設けたものであり、また後者は高所作業において手工具の落下による危険を防止するためにその手工具の落下を防止し、しかもホルダーケースからの挿脱を容易にするものである。
【特許文献１】特開２００５−７４０２６号公報
【特許文献２】特開２００５−１１２２０６号公報
【特許文献３】特開２００４−３４２８９号公報
【特許文献４】登録実用新案第３１２７１６３号公報
【考案の開示】
【考案が解決しようとする課題】
【０００５】
しかし、上記各文献には、本考案が解決しようとする課題、すなわち一枚のシートから工具を保持するホルダー本体と、身辺に装着する吊下部とを主要構成とし、これらを折り曲げ、折り重ねて鋲止手段と係止手段とにより工具を着脱する工具ホルダーについては全く開示されていなく、本考案はこれらに着目して、以下の考案を完成したものである。
【課題を解決するための手段】
【０００６】
本考案は、上記目的に基づいてなされたものであり、その要旨は工具を収納するホルダー本体と、該本体の上部に連設した細長い吊下部とを一枚のシートで構成し、前記ホルダー本体が折り曲げ部を境目とした略線対称の上記吊下部と連設した裏部と、折り曲げることによる表部とからなり、前記吊下部を折り重ねて身辺に装着する金属吊り輪を挿通状態に保持した鋲止手段を設け、前記吊下部の先部と前記ホルダー本体の表部のいずれかに凸部と凹部により着脱する係止手段を設け、前記折り曲げ部の反対側を縫製することにより、前記ホルダー本体の上部に工具全体を着脱する挿入孔を設けるとともに、下部には工具先端の先部を挿通して工具全体を保持する挿通孔を設けたことを特徴とする工具ホルダーにある。
【０００７】
上記構成により本ホルダー本体と吊下部とを一つの打ち抜きや切り抜き等で得られるシートに鋲止手段と係止手段により、金属吊り輪を付けた工具ホルダーを得たものである。しかも、ホルダー本体と吊下部の係止手段としては、例えばホルダー本体と吊下部のいずれか一方に通常ホックと称される入口部がシートに固定した根元よりも大きい径となる凸部を設け、他方にその凸部を力で押し入れて根元の小さい径（例えば２本の張線間）のところで凸部を挟持する凹部を設けたものが考えられる。また、吊下部を折り重ねた鋲止手段としては、一方を大径にした先部に金属吊り輪を入れて、重ね合せた吊下部に叩き込んで固定したものである。
【考案の効果】
【０００８】
一枚のシートから鋲止手段と係止手段で、工具を入れるホルダー本体と、本考案品全体を身辺に装着する金属吊り輪を設けた吊下部とを少ない工程と器具を用いて作り、吊下部をホルダー本体とで開閉自在にして係止手段で係止することで、吊下部とホルダー本体の係止部により工具のホルダーからの不慮の離脱による紛失を防止するようにした。
【考案を実施するための最良の形態】
【０００９】
本考案では、打ち抜き等で得られた一枚のシートから、吊下部を鋲で２重にして金属吊り輪を挿通するとともに、ホルダー本体も折り重ねて縫製し、前記吊下部の先部とホルダー本体とで係止手段を設けて、工具をホルダー本体に着脱自在に入れ、その工具をホルダー本体から抜けないように吊下部とホルダー本体とを着脱自在に係止するようにした。
【実施例】
【００１０】
図１は、本考案である工具ホルダーに工具を入れた状態の正面図、図２は図１の工具ホルダーを作るホルダー本体と吊下部の一枚のシートである打ち抜き皮革の展開図、図３は金属吊り輪の平面図、図４は吊下部を重ねて叩き込んだ状態の鋲の斜視図、図５(イ)はホルダー本体に叩き込んだ状態のホックの凸部側の斜視図、図５(ロ)は吊下部に叩き込んだ状態のホックの凹部側の斜視図、図６は本考案の工具ホルダーの平面図、図７は工具としての六角レンチの平面図である。
【００１１】
図２における一枚の打ち抜き皮革Ａで、点で折り畳んで上部に工具の挿入孔１と下部に工具先端部を挿通する挿通孔２となる形状のホルダー本体Ｂと、折り畳んで金属吊り輪３を保持する形状の吊下部Ｃになる部分から構成されている。この図には、図５(イ)と(ロ)に示す、ホルダー本体Ｂの表側（図に隠れている）には係止手段として、根元の径４が入口部の径５より小さくした凸部６を設けた基部８とからなる裏側の先鉛部を叩き込んで皮革面に止め部７を固定したものと、吊下部Ｃにおける前記凸部の入口部の径を押し込むスプリング２本線１１を内蔵した基部９とを有する凹部１０を皮革の裏側の先鉛部を叩き込んでできた止め部１４により皮革面に固定したものとから成る。
【００１２】
図６は、本考案の工具ホルダーの一実施例であり、前記図２の点線の折り目１２を内折りにして折り曲げ、折り目１２と反対側のホルダー本体Ｂの辺部を糸によりミシンで縫製し、また吊下部Ｃの中程を折り曲げてから、前の先鉛部を叩き込んで図４に示す鋲１３を設置したものである。もちろん、この鋲１３を施す前に金属吊り輪３を折り畳みの先部に嵌入している。
【００１３】
本考案の工具ホルダーを形成するには、図２に示す、係止手段付きの皮革Ａを点線１２で折り畳んで糸１５で縫製し、金属吊り輪３を嵌着するようにして鋲１３を打って仕上げる。
【００１４】
このようにして、できた工具ホルダーは、図７に示す把持部１６付きの先端が六角レンチとした工具Ｄであり、これが先端部を、図に示す図６の挿通孔２に貫通して、工具Ｄの把持部１６をホルダー本体Ｂに収納するようにして挿入孔１より装着し、その後前記凸部６を凹部１０に嵌め込むことで、図１に示す使用状態が完成する。
【産業上の利用可能性】
【００１５】
一枚のシートから、鋲止手段と係止手段及び縫製により、金属吊り輪付きの工具ホルダーを仕上げ、体裁が良くて工具の紛失を防止できる工具ホルダーである。
【図面の簡単な説明】
【００１６】
【図１】本考案である工具ホルダーの使用状態説明図である。
【図２】本考案の主要部である係止手段付きのホルダー本体の展開図である。
【図３】金属吊り輪の平面図である。
【図４】鋲止手段の仕切り斜視図である。
【図５】(イ)は係止手段の凸部斜視図であり、(ロ)は係止手段の凹部斜視図である。
【図６】本考案の全体平面図である。
【図７】工具の一つである六角レンチの平面図である。
【符号の説明】
【００１７】
Ａ  皮革
Ｂ  ホルダー本体
Ｃ  吊下部
Ｄ  工具
１  挿入孔
２  挿通孔
３  金属吊り輪
１５  糸
【図１】
0003144113.tif 000003
【図２】
0003144113.tif 000004
【図３】
0003144113.tif 000005
【図４】
0003144113.tif 000006
【図５】
0003144113.tif 000007
【図６】
0003144113.tif 000008
【図７】
0003144113.tif 000009